(57)【要約】【課題】新しく取り替えられたドアフレームとコークス炉炭化室のドアフレーム装着面との間にシール材を充填してコークス炉窯口を補修するときに多くの時間や費用を要することなくコークス炉窯口を補修することのできるコークス炉窯口の補修方法とコークス炉窯口補修用高所作業車を提供する。【解決手段】高所作業台２と、高所作業台２を上下方向に昇降駆動する作業台昇降装置５を有する走行台車３とを備え、高所作業台２がコークス炉炭化室のドアフレーム装着面とドアフレームとの間にシール材を充填するための作業用デッキ７と、作業用デッキ７を高所作業台２から水平方向に伸長駆動するデッキ駆動用シリンダ８とを有する高所作業車１を用いてコークス炉窯口を補修する。【選択図】図２
2010222412.tif 000002
【特許請求の範囲】
【請求項１】
コークス炉炭化室のドアフレームを新しいドアフレームに取り替えた後、コークス炉炭化室のドアフレーム装着面とドアフレームとの間にシール材を充填してコークス炉窯口を補修する方法であって、高所作業台と、該高所作業台を上下方向に昇降駆動する作業台昇降装置を有する走行台車とを備え、前記高所作業台が前記ドアフレーム装着面とドアフレームとの間にシール材を充填するための作業用デッキと、該作業用デッキを前記高所作業台から水平方向に伸長駆動するデッキ駆動用シリンダとを有する高所作業車を用いて、前記コークス炉窯口を補修することを特徴とするコークス炉窯口の補修方法。
【請求項２】
コークス炉炭化室のドアフレームを新しいドアフレームに取り替えた後、コークス炉炭化室のドアフレーム装着面とドアフレームとの間にシール材を充填してコークス炉窯口を補修するときに用いられるコークス炉窯口補修用高所作業車であって、高所作業台と、該高所作業台を上下方向に昇降駆動する作業台昇降装置を有する走行台車とを備え、前記高所作業台が前記ドアフレーム装着面とドアフレームとの間にシール材を充填するための作業用デッキと、該作業用デッキを前記高所作業台から水平方向に伸長駆動するデッキ駆動用シリンダとを有することを特徴とするコークス炉窯口補修用高所作業車。
【発明の詳細な説明】
【技術分野】
【０００１】
本発明は、コークス炉窯口の補修方法およびコークス炉窯口補修用高所作業車に関し、特に、コークス炉炭化室のドアフレームを新しいドアフレームに取り替えた後、コークス炉炭化室のドアフレーム装着面とドアフレームとの間にシール材を充填してコークス炉窯口を補修する方法とコークス炉窯口補修用高所作業車に関する。
【背景技術】
【０００２】
一般に、コークス炉炭化室のドアフレームは鉄鋼材料で形成されている。このため、長年の使用によりドアフレームが老朽化し、コークス炉炭化室からのガス漏れを招く熱歪や亀裂などがドアフレームに生じると良質なコークスを製造することが困難となるため、老朽化したドアフレームを新しいドアフレームに取り替える必要がある。この場合、コークス炉炭化室のドアフレーム装着面とドアフレームとの間には、特許文献１〜３に開示されているように、モルタル等のシール材が充填されているため、老朽化したドアフレームを新しいドアフレームに取り替えたときには、コークス炉炭化室のドアフレーム装着面とドアフレームとに間にシール材を充填してコークス炉窯口を補修する必要がある。
【先行技術文献】
【特許文献】
【０００３】
【特許文献１】特開平７−１７３４７０号公報（００１６、図４）
【特許文献２】特開２０００−１２９２６４号公報（００１５）
【特許文献３】特開２００４−２３１７５０号公報（０００４、図７）
【発明の概要】
【発明が解決しようとする課題】
【０００４】
しかしながら、ドアフレームを新しいドアフレームに取り替えた後、コークス炉炭化室のドアフレーム装着面とドアフレームとの間にシール材を充填してコークス炉窯口を補修する場合、従来では、コークス炉窯口に作業用足場を組んでシール材を充填していたため、コークス炉窯口の補修に多くの時間や費用を要していた。
本発明は上述した問題点に鑑みてなされたもので、新しく取り替えられたドアフレームとコークス炉炭化室のドアフレーム装着面との間にシール材を充填してコークス炉窯口を補修するときに多くの時間や費用を要することなくコークス炉窯口を補修することのできるコークス炉窯口の補修方法とコークス炉窯口補修用高所作業車を提供することを目的とするものである。
【課題を解決するための手段】
【０００５】
上記課題を解決するために、請求項１の発明に係るコークス炉窯口の補修方法は、コークス炉炭化室のドアフレームを新しいドアフレームに取り替えた後、コークス炉炭化室のドアフレーム装着面とドアフレームとの間にシール材を充填してコークス炉窯口を補修する方法であって、高所作業台と、該高所作業台を上下方向に昇降駆動する作業台昇降装置を有する走行台車とを備え、前記高所作業台が前記ドアフレーム装着面とドアフレームとの間にシール材を充填するための作業用デッキと、該作業用デッキを前記高所作業台から水平方向に伸長駆動するデッキ駆動用シリンダとを有する高所作業車を用いて、前記コークス炉窯口を補修するものである。
【０００６】
請求項２の発明に係るコークス炉窯口補修用高所作業車は、コークス炉炭化室のドアフレームを新しいドアフレームに取り替えた後、コークス炉炭化室のドアフレーム装着面とドアフレームとの間にシール材を充填してコークス炉窯口を補修するときに用いられるコークス炉窯口補修用高所作業車であって、高所作業台と、該高所作業台を上下方向に昇降駆動する作業台昇降装置を有する走行台車とを備え、前記高所作業台が前記ドアフレーム装着面とドアフレームとの間にシール材を充填するための作業用デッキと、該作業用デッキを前記高所作業台から水平方向に伸長駆動するデッキ駆動用シリンダとを有することを特徴とするものである。
【発明の効果】
【０００７】
請求項１の発明に係るコークス炉窯口の補修方法によると、高所作業車の高所作業台に付設された作業用デッキを利用してシール材の充填作業を行うことができるため、作業用足場が不要となり、足場組みに要する時間や費用を削減できる。したがって、新しく取り替えられたドアフレームとコークス炉炭化室のドアフレーム装着面との間にシール材を充填してコークス炉窯口を補修するときに多くの時間や費用を要することなくコークス炉窯口を補修することができる。
請求項２の発明に係るコークス炉窯口補修用高所作業車によると、新しい取り替えられたドアフレームとコークス炉炭化室のドアフレーム装着面との間にシール材を充填するときに高所作業台に付設された作業用デッキを利用してシール材の充填作業を行うことができる。
【図面の簡単な説明】
【０００８】
【図１】本発明の一実施形態に係るコークス炉窯口補修用高所作業車の側面図である。
【図２】図１に示すコークス炉窯口補修用高所作業車の正面図である。
【図３】図１に示すコークス炉窯口補修用高所作業車の平面図である。
【図４】図３のＡ−Ａ断面を示す図である。
【図５】本発明に係るコークス炉窯口の補修方法の一実施形態を説明するための図である。
【発明を実施するための形態】
【０００９】
以下、図面を参照して本発明に係るコークス炉窯口の補修方法とコークス炉窯口補修用高所作業車について説明する。
本発明の一実施形態に係るコークス炉窯口補修用高所作業車を図１〜図４に示す。図１〜図４に示されるコークス炉窯口補修用高所作業車１は高所作業台２及び走行台車３を備えており、走行台車３には、高所作業時に高所作業車１を安定に支える四つのアウトリガー装置４が所定位置に設けられていると共に、高所作業台２を上下方向に昇降駆動する作業台昇降装置５が設けられている。
【００１０】
作業台昇降装置５は走行台車３上に設置されたシザースリンク機構５１と、このシザースリンク機構５１を上下方向に伸縮駆動する油圧シリンダ（図示せず）とで構成され、従って、高所作業台２は作業台昇降装置５により垂直に昇降動作するようになっている。
高所作業台２は、転落事故を防止するための転落防止柵６を周囲に有していると共に、コークス炉炭化室のドアフレーム装着面とドアフレームとの間にシール材を充填するための作業用デッキ７を有している。この作業用デッキ７は高所作業台２から水平方向に伸長するように高所作業台２に設けられており、高所作業台２には、作業用デッキ７を高所作業台２から水平方向に伸長駆動するデッキ駆動用シリンダ８が設けられている。
【００１１】
また、作業用デッキ７は高所作業台２の一側面部から水平方向に伸長するデッキプレート７１と、このデッキプレート７１の先端から水平方向に伸長可能に設けられたデッキプレート７２とを有しており、デッキプレート７２の先端部には、転落事故を防止するための転落防止柵７３が立設されている。
図５は本発明に係るコークス炉窯口の補修方法を説明するための図であり、コークス炉炭化室１０のドアフレームを新しいドアフレーム１１に取り替えた後、コークス炉炭化室１０のドアフレーム装着面１０ａとドアフレーム１１との間にシール材を充填してコークス炉窯口１２を補修する場合は、図５（ａ）に示すように、補修すべきコークス炉窯口１２の正面にコークス炉窯口補修用高所作業車１を作業用デッキ７の先端がコークス炉窯口１２に向くように配置する。
【００１２】
次に、作業員が乗り込んだ高所作業台２を走行台車３上に設けられた作業台昇降装置５により所定の高さ位置まで上昇させた後、デッキ駆動用シリンダ８を作動させ、高所作業台２に設けられた作業用デッキ７を高所作業台２から水平方向に伸長させる。このとき、高所作業台２から水平方向に伸長した作業用デッキ７は、図５（ｂ）に示すように、その先端側のデッキプレート７２がコークス炉窯口１２からコークス炉炭化室１０に進入する。
作業用デッキ７のデッキプレート７２がコークス炉窯口１２からコークス炉炭化室１０に進入したならば、高所作業台２から水平方向に伸長した作業用デッキ７を利用してコークス炉炭化室１０の内部に断熱ボード１３をコークス炉炭化室１０の天井面から床面にわたって配置した後、コークス炉炭化室１０のドアフレーム装着面１０ａとドアフレーム１１との間隙にシール材を充填する。
【００１３】
上述のように、新しく取り替えられたドアフレーム１１とコークス炉炭化室１０のドアフレーム装着面１０ａとの間にシール材を充填してコークス炉窯口１２を補修する際に、図１〜図４に示したコークス炉窯口補修用高所作業車１を用いることで、コークス炉窯口補修用高所作業車１の高所作業台２に付設された作業用デッキ７を利用してシール材の充填作業を行うことができるため、作業用足場が不要となり、足場組みに要する時間や費用を削減できる。したがって、新しく取り替えられたドアフレーム１１とコークス炉炭化室１０のドアフレーム装着面１０ａとの間にシール材を充填してコークス炉窯口１２を補修するときに多くの時間や費用を要することなくコークス炉窯口１２を補修することができる。
なお、上述した本発明の一実施形態では、コークス炉窯口を補修するときに使用されるコークス炉窯口補修用高所作業車として走行台車がホイール式のものを例示したが、これに限られるものではなく、走行台車がクローラ式のコークス炉窯口補修用高所作業車を用いてコークス炉窯口を補修してもよい。
【符号の説明】
【００１４】
１…コークス炉窯口補修用高所作業車、２…高所作業台、３…走行台車、４…アウトリガー装置、５…作業台昇降装置、５１…シザースリンク機構、６…転落防止柵、７…作業用デッキ、７１，７２…デッキプレート、７３…転落防止柵、８…デッキ駆動用シリンダ、１０…コークス炉炭化室、１０ａ…ドアフレーム装着面、１１…ドアフレーム、１２…コークス炉窯口、１３…断熱ボード。
【図１】
2010222412.tif 000003
【図２】
2010222412.tif 000004
【図３】
2010222412.tif 000005
【図４】
2010222412.tif 000006
【図５】
2010222412.tif 000007